(57)【要約】【課題】  転写部におけるウェブと感光ドラム表面のトナー像の書き出し位置にズレが生じない電子写真式印刷装置を提供する。【解決手段】  ウェブ２に画像を転写する転写部５と、転写部５にウェブ２を搬送するウェブ搬送装置３と、転写部５と対応する位置に設置された可動式ウェブガイド４を備えた印刷装置において、可動式ウェブガイド４がウェブ２を吸引する吸引手段１２を有し、吸引手段１２がウェブ２の幅に対応して吸引領域を可変できることを特徴とする。【選択図】  図１
2009020371.tif 000002
【特許請求の範囲】
【請求項１】
ウェブに画像を転写する転写部と、該転写部にウェブを搬送するウェブ搬送装置と、前記転写部と対応する位置に設置された可動式ウェブガイドを備えた印刷装置において、
前記可動式ウェブガイドが前記ウェブを吸引する吸引手段を有し、その吸引手段が前記ウェブの幅に対応して吸引領域を可変できることを特徴とする印刷装置。
【請求項２】
請求項１に記載の印刷装置において、前記ウェブの厚さに応じて前記吸引手段の吸引力が可変できることを特徴とする印刷装置。
【発明の詳細な説明】
【技術分野】
【０００１】
本発明は、連続的に搬送されるウェブに画像を形成する印刷装置に関する。
【背景技術】
【０００２】
近年、印刷ウェブの多様化は益々進み、上質紙及び再生紙に加えウェブ表面に圧着糊が存在する圧着糊付紙や粘着ラベル付きウェブの使用量が大幅に増えている。前記圧着糊付紙や粘着ラベル付きウェブは、上質紙に対して、剛性や伸びが異なるため、印刷位置精度に微妙なずれを発生させる原因となっている。更に、上質紙であっても、ウェブ厚の違いがウェブ搬送経路における抵抗の差として現れ、それによって印刷位置のずれを発生することがあった。
【０００３】
従来技術における電子写真式印刷装置を、図２ならびに図３を参照しながら説明する。図３に示すように印刷中、印写部１におけるウェブ２はウェブ搬送装置３により可変式のリトラクト部４に搬送される。リトラクト部４の内側には、転写部５と、ウェブ搬送装置３の幅方向への動作に同期して移動可能であり、感光ドラム６の表面に電荷が直接あたることを防ぐためのコロトロンマスク４ａ（図２参照）が存在する。コロトロンマスク４ａは、ウェブ搬送装置３の幅方向の動作に同期して巻き取り機構４ｂから引き出され、もしくは巻き取られる。
【０００４】
矢印方向に回転する感光ドラム６の表面には図示しない印写プロセスによりトナー像が形成され、そのトナー像は転写点５ａでウェブ２上に転写される。転写後、ウェブ２の印刷面には未定着のトナー像が乗っている。ウェブ２はウェブ搬送装置３のウェブ搬送速度の差を吸収するバッファ８を経て定着部７に搬送され、ヒートロール７ａでトナー像がウェブ２に溶融定着される。連続印刷中は、定着部７の搬送速度と印写部１の搬送速度を制御して、定着部７と印写部１の間に一定範囲のバッファ量が取られている。
【０００５】
前記の構成においてはヒートロール７ａによるウェブ２の搬送力、及びバッファ８により与えられるウェブ張力は、印刷中常に変化している。従って、転写点５ａ近傍におけるウェブ張力は印刷中常に変動しており、前記ウェブ張力のばらつきによりウェブ搬送方向の位置精度もばらつきを持つことになる。
【０００６】
一方、ウェブ２の種類により、その剛性と伸びが異なるため、転写点５ａ近傍におけるウェブ張力は変動するので、その結果ウェブ搬送方向の印刷位置も変動することになる。しかし、従来の印刷装置にはウェブ種類による変動を圧縮する方策は取られていない。
【発明の開示】
【発明が解決しようとする課題】
【０００７】
従来の印刷装置は、ヒートロール７ａとバッファ８の合成された張力によりウェブ張力が変動するので、転写部７におけるウェブ２と感光ドラム６の表面のトナー像の書き出し位置にズレが生じるという欠点があった。
【０００８】
本発明の目的は、このような従来技術の欠点を解消し、安定したウェブ搬送が可能で、高品質の印刷ができる印刷装置を提供することにある。
【課題を解決するための手段】
【０００９】
前記目的を達成するため本発明は、ウェブに画像を転写する転写部と、該転写部にウェブを搬送するウェブ搬送装置と、前記転写部と対応する位置に設置された可動式ウェブガイドを備えた印刷装置において、前記可動式ウェブガイドが前記ウェブを吸引する吸引手段を有し、その吸引手段が前記ウェブの幅に対応して吸引領域を可変できることを特徴とするものである。
【発明の効果】
【００１０】
本発明は前述のような構成になっており、安定したウェブ搬送が可能で、高品質の印刷ができる印刷装置を提供することができる。
【発明を実施するための最良の形態】
【００１１】
本発明は具体的には張力付加機構として吸引装置を転写部に設け、吸引装置として、ウェブの厚さを入力することができる操作パネル、吸引ブロア、制御装置及びエアの流量を調整するバルブを付加し、吸引ブロアでウェブを吸引して、印刷時のウェブの張力を調節する。これらの構成によりウェブの幅、厚さに関わらず、安定したウェブ搬送が可能で、印刷時におけるトナー像の書き出し位置ズレを無くすことができる。
【００１２】
以下、本発明の一実施例を図１〜３を用いて説明する。図１は本発明の実施例に係る連続紙用電子写真式印刷装置（レーザビームプリンタ）のウェブ搬送装置の概略構成図、図２はそのウェブ搬送装置の吸引部の概略構成図、図３は連続紙用電子写真式印刷装置全体の概略構成図である。
【００１３】
図３に示すように印刷中、印写部１におけるウェブ２はウェブ搬送装置３により可変式のリトラクト部４に搬送される。リトラクト部４の内側には、転写部５と、ウェブ搬送装置３の幅方向への動作に同期して移動可能であり、感光ドラム６の表面に電荷が直接あたることを防ぐためのコロトロンマスク４ａ（図２参照）が存在する。コロトロンマスク４ａは、ウェブ搬送装置３の幅方向の動作に同期して巻き取り機構４ｂから引き出され、もしくは巻き取られる。
【００１４】
矢印方向に回転する感光ドラム６の表面には図示しない印写プロセスによりトナー像が形成され、そのトナー像は転写点５ａでウェブ２上に転写される。転写後、ウェブ２の印刷面には未定着のトナー像が乗っている。ウェブ２はウェブ搬送装置３のウェブ搬送速度の差を吸収するバッファ８を経て定着部７に搬送され、ヒートロール７ａでトナー像がウェブ２に溶融定着される。連続印刷中は、定着部７の搬送速度と印写部１の搬送速度を制御して、定着部７と印写部１の間に一定範囲のバッファ量が取られている。
【００１５】
図１に示すようにリトラクタ部４に吸引部９、ホース１１、吸引ブロア１２、バルブ１３、バルブ１３を制御する制御装置１４、及びウェブ厚を選択して入力する操作パネル１５などが設けられている。
【００１６】
印刷時において、用紙幅方向は、コロトロンマスク４ａによりエアが抜けにくくなっている。また、操作パネル１５でウェブ厚を最適に吸引するように選択されたバルブ１３が制御装置１４により開放されて吸引部９でウェブ２を吸引する。吸引部９による搬送抵抗がウェブ２に作用してヒートロール７ａ、及びバッファ８間の合成された搬送抵抗と同じになるようになる。印刷停止時においては、制御装置１４によりバルブ１３が閉鎖されて吸引ブロア１２からのエアが遮断されるため、吸引部９の吸引力が無くなり、ウェブ２への搬送抵抗が作用しなくなる。ここで、異なる幅のウェブ２を使用する場合、コロトロンマスク４ｂがウェブ幅に合わせて移動可能であるため、エア漏れを防ぎウェブ２を安定して吸引することが可能である。よって、印刷時の搬送抵抗を調節し、書き出し位置のズレを防ぐことが可能となる。
【００１７】
前述のように張力付加機構として吸引装置を転写部に設け、印刷時は吸引装置でウェブを吸引して、搬送装置の張力を調節する。さらにウェブの厚さを入力する操作パネル、吸引ブロア、制御装置、及びエアの流量を調整するバルブを付加する。これらを構成することにより印刷時におけるトナー像の書き出し位置ズレを無くし、安定したウェブ搬送を達成する。
【図面の簡単な説明】
【００１８】
【図１】本発明の実施例に係る連続紙用電子写真式印刷装置のウェブ搬送装置の概略構成図である。
【図２】そのウェブ搬送装置の吸引部の概略構成図である。
【図３】連続紙用電子写真式印刷装置全体の概略構成図である。
【符号の説明】
【００１９】
１は印写部、２はウェブ、３はウェブ搬送装置、４はリトラクト部、４ａはコロトロンマスク、４ｂは巻き取り機構、５は転写部、５ａは転写点、６は感光ドラム、７は定着部、７ａはヒートロール、８はバッファ、９は吸引部、１０は吸引ブロア、１１はホース、１２は吸引ブロア、１３はバルブ、１４は制御装置、１５は操作パネルである。
【図１】
2009020371.tif 000003
【図２】
2009020371.tif 000004
【図３】
2009020371.tif 000005